(57)【要約】【課題】運転開始時に、過去の多発異常を防止するように、音声によって分かりやすく報知できる機器の制御装置を提供する。【解決手段】異常を検知する異常検知手段３２と、異常内容および前記異常の発生回数を記憶する記憶手段３３と、音声での報知を行う音声報知手段３１とを有し、前記記憶手段３３に記憶した前記異常内容およびその発生回数を参照し、同一の異常が所定回数発生すると、前記音声報知手段３１による音声での報知内容を変更する制御手段１２を備えたもので、前回の運転までの間に、同一の異常が所定回数以上発生した場合、使用者が、機器（図示せず）の運転をスタートさせたときに、特定の異常の回避方法を使用者に明確に伝えるなど、音声による報知内容を変更することで、特定の異常が再び発生するのを防止できる。【選択図】図１
2008259725.tif 000002
【特許請求の範囲】
【請求項１】
異常を検知する異常検知手段と、異常内容および前記異常の発生回数を記憶する記憶手段と、音声での報知を行う音声報知手段とを有し、前記記憶手段に記憶した前記異常内容およびその発生回数を参照し、同一の異常が所定回数発生すると、前記音声報知手段による音声での報知内容を変更する制御手段を備えたことを特徴とする機器の制御装置。
【請求項２】
異常を検知する異常検知手段と、異常内容および前記異常の発生回数を記憶する記憶手段と、音声での報知を行う音声報知手段とを有し、前記記憶手段に記憶した前記異常内容およびその発生回数を参照し、同一の異常が所定割合以上発生すると、前記音声報知手段による音声での報知内容を変更する制御手段を備えたことを特徴とする機器の制御装置。
【請求項３】
異常を検知する異常検知手段と、異常内容および前記異常の発生回数を記憶する記憶手段と、音声での報知を行う音声報知手段とを有し、前記記憶手段に記憶した前記異常内容およびその発生回数を参照し、同一の異常が連続して所定回数発生すると、前記音声報知手段による音声での報知内容を変更する制御手段を備えたことを特徴とする機器の制御装置。
【請求項４】
変更後の報知内容は、変更前の報知内容に所定の報知内容を追加したものであることを特徴とする請求項１〜３のいずれか１項に記載の機器の制御装置。
【請求項５】
異常検知手段で給水異常を検知するようにした請求項１〜４のいずれか１項に記載の機器の制御装置。
【請求項６】
食器類を収納する洗浄槽と、前記洗浄槽に給水する際に開閉される給水弁と、請求項１〜５のいずれか１項に記載の機器の制御装置を備えた食器洗い機。
【発明の詳細な説明】
【技術分野】
【０００１】
本発明は、給水、排水等を行う機器の制御装置及び食器洗い機に関するもので、さらに詳しくは、給水異常、排水異常等の異常を音声で報知する音声報知手段を備えた機器の制御装置及び食器洗い機に関するものである。
【背景技術】
【０００２】
従来のこの種の機器の制御装置について、食器洗い機を例にして、説明する。
【０００３】
この種の食器洗い機として、図８に例示されるようなものが既に知られている（例えば、特許文献１参照）。
【０００４】
図８は、従来の食器洗い機の断面図である。
【０００５】
図８において、従来の食器洗い機の本体４０は、本体４０に出し入れ自在の洗浄槽４１と、前部に配された前面ドア４２と、給水弁（図示せず）と、洗浄水を圧送する洗浄ポンプ４３と、洗浄ポンプ４３から送られてきた洗浄水を噴出しながら回転するノズル４４とを備え、洗浄槽４１を本体４０に収納、密閉し、給水弁より洗浄槽４１の所定水位まで給水し、洗浄水が洗浄ポンプ４３によって各所のノズル４４に送られ、そのノズル４４が種々な向きで洗浄水を噴射しながら回転して食器類（図示せず）を洗浄する。
【０００６】
また図示しない異常検知手段により、給水が所定時間以内に所定水位に達しなかった場合には、給水異常、また、洗浄槽４１からの排水が所定時間以内に完了しなかった場合には、排水異常など各種の異常を検知し報知するようにしている。上記特許文献１には、各種異常の種類毎に異なる組み合わせの音又は音声を発生させて報知する旨の記載がされている。
【特許文献１】特開平６−１７８７５１号公報
【発明の開示】
【発明が解決しようとする課題】
【０００７】
しかしながら、上記特許文献１に記載された従来の異常の種類毎の報知では、使用者は異常の種類は、容易に判断できるが、異常を解決する方法を理解することができない、とういう課題があった。
【０００８】
本発明は、上記従来の課題を解決するもので、特定の異常の回避方法を使用者に音声で明確に伝え、特定の異常が再び発生するのを防止できる機器の制御装置及び食器洗い機を提供することを目的としている。
【課題を解決するための手段】
【０００９】
上記従来の課題を解決するために、本発明の機器の制御装置は、異常を検知する異常検知手段と、異常内容および前記異常の発生回数を記憶する記憶手段と、音声での報知を行う音声報知手段とを有し、前記記憶手段に記憶した前記異常内容およびその発生回数を参照し、同一の異常が所定回数発生すると、前記音声報知手段による音声での報知内容を変更する制御手段を備えたもので、前回の運転までの間に、同一の異常が所定回数以上発生した場合、使用者が、機器の運転をスタートさせたときに、特定の異常の回避方法を使用者に明確に伝えるなど、音声による報知内容を変更することで、特定の異常が再び発生するのを防止できる。
【００１０】
また、本発明の機器の制御装置は、異常を検知する異常検知手段と、異常内容および前記異常の発生回数を記憶する記憶手段と、音声での報知を行う音声報知手段とを有し、前記記憶手段に記憶した前記異常内容およびその発生回数を参照し、同一の異常が所定割合以上発生すると、前記音声報知手段による音声での報知内容を変更する制御手段を備えたもので、前回の運転までの間に、同一の異常が所定割合以上発生した場合、使用者が、機器の運転をスタートさせたときに、特定の異常の回避方法を使用者に明確に伝えるなど、音声による報知内容を変更することで、特定の異常が再び発生するのを防止できる。
【００１１】
また、本発明の機器の制御装置は、異常を検知する異常検知手段と、異常内容および前記異常の発生回数を記憶する記憶手段と、音声での報知を行う音声報知手段とを有し、前記記憶手段に記憶した前記異常内容およびその発生回数を参照し、同一の異常が連続して所定回数発生すると、前記音声報知手段による音声での報知内容を変更する制御手段を備えたもので、前回の運転までの間に、同一の異常が連続して所定回数発生した場合、使用者が、機器の運転をスタートさせたときに、特定の異常の回避方法を使用者に明確に伝えるなど、音声による報知内容を変更することで、特定の異常が再び発生するのを防止できる。
【００１２】
また、本発明の食器洗い機は、食器類を収納する洗浄槽と、前記洗浄槽に給水する際に開閉される給水弁と、請求項１〜５のいずれか１項に記載の機器の制御装置を備えたもので、使用者が、運転をスタートさせる際に、制御手段が記憶手段に記憶された同一の異常の発生回数もしくは発生割合、もしくは連続発生回数に応じて、音声報知手段による音声での報知内容を変えるので、特定の異常の回避方法をより具体的に使用者に明確に伝えることができる食器洗い機を実現できる。
【発明の効果】
【００１３】
本発明の機器の制御装置によれば、運転時に過去に同一の異常が所定回数発生したか否かに応じて、音声での報知内容を変えて明確に伝えるので、使用者は、運転スタートに際し過去に同一の異常が所定回数発生している場合には、異常解決方法が具体的に音声で報知されるので即時に対応できるし、過去に異常がなければ異常解決方法の報知はなく、安心して次の作業に移れる。また、無闇な音声報知により使用者へ煩わしさを与えることがない。
【発明を実施するための最良の形態】
【００１４】
第１の発明は、異常を検知する異常検知手段と、異常内容および前記異常の発生回数を記憶する記憶手段と、音声での報知を行う音声報知手段とを有し、前記記憶手段に記憶した前記異常内容およびその発生回数を参照し、同一の異常が所定回数発生すると、前記音声報知手段による音声での報知内容を変更する制御手段を備えたもので、前回の運転までの間に、同一の異常が所定回数以上発生した場合、使用者が、機器の運転をスタートさせたときに、特定の異常の回避方法を使用者に明確に伝えるなど、音声による報知内容を変更することで、特定の異常が再び発生するのを防止できる。
【００１５】
第２の発明は、異常を検知する異常検知手段と、異常内容および前記異常の発生回数を記憶する記憶手段と、音声での報知を行う音声報知手段とを有し、前記記憶手段に記憶した前記異常内容およびその発生回数を参照し、同一の異常が所定割合以上発生すると、前記音声報知手段による音声での報知内容を変更する制御手段を備えたもので、前回の運転までの間に、同一の異常が所定割合以上発生した場合、使用者が、機器の運転をスタートさせたときに、特定の異常の回避方法を使用者に明確に伝えるなど、音声による報知内容を変更することで、特定の異常が再び発生するのを防止できる。
【００１６】
第３の発明は、異常を検知する異常検知手段と、異常内容および前記異常の発生回数を記憶する記憶手段と、音声での報知を行う音声報知手段とを有し、前記記憶手段に記憶した前記異常内容およびその発生回数を参照し、同一の異常が連続して所定回数発生すると、前記音声報知手段による音声での報知内容を変更する制御手段を備えたもので、前回の運転までの間に、同一の異常が連続して所定回数発生した場合、使用者が、機器の運転をスタートさせたときに、特定の異常の回避方法を使用者に明確に伝えるなど、音声による報知内容を変更することで、特定の異常が再び発生するのを防止できる。
【００１７】
第４の発明は、特に、１〜３のいずれか一つの発明の変更後の報知内容は、変更前の報知内容に所定の報知内容を追加したもので、例えば、「・・・運転を開始します。」などと言った通常の報知内容に、「水栓を開いていますか？」などといった特定の異常内容に対応した回避方法を報知することで、使用者に、明確に注意を促し、特定の異常発生を確実に防止できる。
【００１８】
第５の発明は、特に、１〜４のいずれか一つの発明の異常検知手段で給水異常を検知するようにしたもので、水や液体を使用する機器にとって最も重要な給水異常の再発生を確実に防止できる。
【００１９】
第６の発明は、食器類を収納する洗浄槽と、前記洗浄槽に給水する際に開閉される給水弁と、請求項１〜５のいずれか１項に記載の機器の制御装置を備えたもので、使用者が、運転をスタートさせる際に、制御手段が記憶手段に記憶された同一の異常の発生回数もしくは発生割合、もしくは連続発生回数に応じて、音声報知手段による音声での報知内容を変えるので、特定の異常の回避方法をより具体的に使用者に明確に伝えることができる食器洗い機を実現できる。
【００２０】
以下、本発明の実施の形態について、図面を参照しながら説明する。なお、この実施の形態によって本発明が限定されるものではない。
【００２１】
（実施の形態１）
本発明の第１の実施の形態における機器の制御装置について、食器洗い機を例に、図１〜３を参照しながら説明し、本発明の理解に供する。図１は、本実施の形態における機器の制御装置を搭載した食器洗い機の概略を示すブロック構成図、図２は、同食器洗い機に備えた操作パネルの模式図、図３は、同機器の制御装置の制御手段による報知処理の具体例を示すフローチャートである。なお、以下の説明は、本発明の具体例であって、特許請求の範囲を限定するものではなく、食器洗い機以外の洗濯機等他の家電機器への適用も可能である。
【００２２】
図１において、本実施の形態の食器洗い機は、既述したような基本構成を有し、本体１に食器類（図示せず）を収容して洗浄を行う洗浄槽２を内部に有し、前面には、食器類を洗浄槽２に出し入れするためのドア１ａを有した開口１ｂが設けられている。ドア１ａを閉じると、開口１ｂのまわりに設けた係合部（図示せず）にフック片（図示せず）が弾性係合することで、閉じ状態にロックされるようになっており、ハンドル（図示せず）を操作して開くときは、そのロックが自動的に解除されるようになっている。
【００２３】
給水弁３が開いて、洗浄槽２に洗浄水が供給され、底部に洗浄水が溜まる。洗浄槽２の底部に溜めている洗浄水は、洗浄ポンプ４によって、洗浄槽２内に回転自在に支持されている洗浄ノズル（図示せず）に供給され、洗浄ノズルからその反力回転を伴い洗浄槽２に収容している食器類に向けて噴出される。洗浄槽２の底部には、水位検知手段１０があり洗浄槽２内の洗浄水の水位を検知し、電気信号として出力するようになっている。
【００２４】
一方、洗浄槽２の底部には、ヒータ５が配設され、洗浄水を加熱し洗浄水による洗浄効果を高める。これに併せ、サーミスタなどからなり、洗浄槽２の底部に外側より密着するように取り付けた温度検知手段９を設けて、洗浄水の水温や洗浄槽２の温度を熱伝導により検知し、それらの温度制御に供する。
【００２５】
また、洗浄槽２の底部内の洗浄水を排出する排水ポンプ６や、洗浄槽２内の蒸気を排気口（図示せず）から本体１外へ送り出し、洗浄後の食器類を乾燥させる送風ファン７も洗浄槽２のまわりに設けてある。開口１ｂまわりの本体１内には、ドア１ａの開閉を検知するドア開閉検知手段８が設けられている。本体１はまた、給水弁３、洗浄ポンプ４、ヒータ５、排水ポンプ６、送風ファン７などを負荷制御手段１１を介して駆動し、洗い、すすぎ、乾燥の各行程を逐次制御する制御手段１２を内蔵している。
【００２６】
このような制御のために、本体１の前面には、ドア１ａの下などに、図２に示すような操作パネル１３が設けられている。操作パネル１３には、電源を「入り」、「切り」する電源入りスイッチ１４、電源切りスイッチ１５、運転開始および一時停止を行うスタート入力手段としてのスタートスイッチ１６、コースを設定するコーススイッチ１７、乾燥の時間を設定する乾燥スイッチ１８などを設けた入力手段２１と、それらの操作に応じた表示をＬＥＤなどによって行う操作表示手段２２とが設けられている。
【００２７】
制御手段１２は、マイクロコンピュータで構成され、入力手段２１により設定された入力と、ドア開閉検知手段８、温度検知手段９、水位検知手段１０からの入力情報に応じて、負荷制御手段１１を介し給水弁３、洗浄ポンプ４、ヒータ５、排水ポンプ６、送風ファン７などの負荷と、ＬＥＤなどの操作表示手段２２と、音声報知手段３１を予め定められたシーケンスに沿って制御する。
【００２８】
音声報知手段３１は、通常、ドア開閉検知手段８からのドア開閉情報により検知した閉じ異常、水位検知手段１０からの水位情報により検知した給水異常や排水異常などが発生したときや、運転終了などに際して働かせる。
【００２９】
これらのために、異常を判定し検知する異常検知手段３２、発生した異常内容と、その異常発生回数等を記憶する記憶手段３３を備えている。なお、負荷制御手段１１や制御手段１２には、電源回路３４にて生成された電源が供給される。
【００３０】
以上のように構成された食器洗い機の一連の動作について、その動作、作用の概略を説明する。
【００３１】
使用者が食器類を食器かご（図示せず）に配置して洗浄槽２に収納し、洗剤を入れ、ドア１ａを閉めた後に、電源入りスイッチ１４とスタートスイッチ１６との操作で運転を開始すると、まず洗浄槽２の底部に、水位検知手段１０が所定の水位を検知するまで給水弁３が開いて水道水が給水される。そして、洗浄ポンプ４およびヒータ５に通電され、洗浄水は加熱されながら洗浄ポンプ４により食器類に向けて洗浄ノズル（図示せず）から噴出される。
【００３２】
このとき、温度検知手段９により洗浄水の温度を検知し、制御手段１２は、常に洗浄水の温度を把握している。洗浄水の温度が所定の温度に到達し、かつ、洗浄開始から所定時間経過したとき、制御手段１２は、洗浄行程を終了し、排水ポンプ６に通電して、一旦洗浄水を排水する。
【００３３】
つぎに、新たに水道水が給水され、前述の洗浄行程と同様の動作を数分間行い排水する。このすすぎ行程を数回くり返した後、加熱すすぎ行程と称する洗浄行程と同様の動作を行い、所定温度に到達し、かつ、所定時間経過したとき、これを終了し、排水する。最後に送風ファン７を運転して、洗浄槽２内の蒸気を機外へ排出すると同時に、ヒータ５に間欠通電を行い食器類を加熱して、付着している水滴を乾燥させる。
【００３４】
このような構成において、異常検知手段３２による異常検知や、運転終了に際して報知手段を働かせて使用者に報知するのに、従来、単純なブザー音やＬＥＤによっていたのに代って、本実施の形態では、図１に示すように、報知手段として、音声報知手段３１を設けて、「音声」による報知ができるようにしたものである。
【００３５】
次に、図３を用いて、制御手段１２による具体的な報知の制御例について説明する。
【００３６】
図３において、ステップＳ１でスタートスイッチ１６が押されると、ステップＳ２にて、記憶手段３３に記憶された情報に基づき、同一の異常がｎ（ｎは２以上の自然数）回以上発生しているか否かを判定する。同一の異常がｎ回以上発生している場合には、ステップＳ３にて、通常の運転開始時とは音声報知内容を変更する。
【００３７】
例えば、給水異常がｎ回以上発生していた場合には、「・・コースで運転を開始します。水栓を開いていますか。」などの報知を行うことで、水栓の開き忘れによる給水異常の再発を未然に防止する。
【００３８】
また、排水異常が所定回数以上発生していた場合には、「・・コースで運転を開始します。排水ホースが折れ曲がっていませんか。」などの報知を行うことで、排水ホース（図示せず）の折れ曲がりによる排水異常の再発を未然に防止する。同一の異常がｎ回以上発生していない場合には、ステップＳ４にて、通常の運転開始時の音声報知、例えば「・・コースで運転を開始します。」等の報知を行い、次工程へ移行する。
【００３９】
次に、図４を用いて、制御手段１２による、他の具体的な報知の制御例について説明する。
【００４０】
図４において、ステップＳ１１でスタートスイッチ１６が押されると、ステップＳ１２にて、記憶手段３３に記憶された情報に基づき、同一の異常がｍ（ｍは１以上の自然数）％以上発生しているか否かを判定する。同一の異常がｍ％以上発生している場合には、ステップＳ１３にて、通常の運転開始時とは音声報知内容を変更する。
【００４１】
例えば、給水異常がｍ％以上発生していた場合には、「・・コースで運転を開始します。水栓を開いていますか。」などの報知を音声報知手段３１で行うことで、水栓の開き忘れによる給水異常の再発を未然に防止する。また、排水異常がｍ％以上発生していた場合には、「・・コースで運転を開始します。排水ホースが折れ曲がっていませんか。」などの報知を行うことで、排水ホースの折れ曲がりによる排水異常の再発を未然に防止する。同一の異常がｍ％以上発生していない場合には、ステップＳ１４にて通常の運転開始時の音声報知、例えば「・・コースで運転を開始します。」等の報知を行い、次工程へ移行する。
【００４２】
次に、図５を用いて、制御手段１２による他の具体的な報知の制御例について説明する。
【００４３】
図５において、ステップＳ２１でスタートスイッチ１６が押されると、ステップＳ２２にて、記憶手段３３に記憶された情報に基づき、同一の異常がｐ回（ｐは２以上の自然数）以上連続して発生しているか否かを判定する。同一の異常がｐ回以上連続して発生している場合には、ステップＳ２３にて通常の運転開始時とは音声報知内容を変更する。
【００４４】
例えば、給水異常がｐ回以上連続して発生していた場合には、「・・コースで運転を開始します。水栓を開いていますか。」などの報知を音声報知手段３１で行うことで、水栓の開き忘れによる給水異常の再発を未然に防止する。
【００４５】
また、排水異常がｐ回以上連続して発生していた場合には、「・・コースで運転を開始します。排水ホースが折れ曲がっていませんか。」などの報知を行うことで、排水ホースの折れ曲がりによる排水異常の再発を未然に防止する。同一の異常がｐ回以上連続して発生していない場合には、ステップＳ２４にて通常の運転開始時の音声報知、例えば「・・コースで運転を開始します。」等の報知を行い、次工程へ移行する。
【００４６】
次に、図６を用いて、制御手段１２による他の具体的な報知の制御例について説明する。
【００４７】
図６において、ステップＳ３１でスタートスイッチ１６が押されると、ステップＳ３２にて記憶手段３３に記憶された情報に基づき、同一の異常がｎ（ｎは２以上の自然数）回以上発生しているか、もしくは、ｍ（ｍは１以上の自然数）％以上発生しているか、もしくは、ｐ回（ｐは２以上の自然数）以上連続して発生しているか否かを判定する。前記条件を満足している場合には、ステップＳ３３にて通常の運転開始時の音声報知内容に追加して、発生した異常への対応方法を報知する。例えば、給水異常の場合、「・・コースで運転を開始します。」の後に「水栓を開いていますか。」などの報知を音声報知手段３１で追加して行うことで、水栓の開き忘れによる給水異常の再発を未然に防止する。同一の異常発生が前記条件を満足していない場合には、ステップＳ３４にて通常の運転開始時の音声報知、例えば「・・コースで運転を開始します。」等の報知を行い、次工程へ移行する。
【００４８】
次に、図７を用いて、制御手段１２による他の具体的な報知の制御例について説明する。
【００４９】
図７において、ステップＳ４１でスタートスイッチ１６が押されると、ステップＳ４２にて記憶手段３３に記憶された情報に基づき、給水異常がｎ（ｎは２以上の自然数）回以上発生しているか、もしくは、ｍ（ｍは１以上の自然数）％以上発生しているか、もしくは、ｐ回（ｐは２以上の自然数）以上連続して発生しているか否かを判定する。前記条件を満足している場合には、ステップＳ４３にて通常の運転開始時とは音声報知内容を変更する。例えば、「・・コースで運転を開始します。水栓を開いていますか。」などの報知を音声報知手段３１で行うことで、水栓の開き忘れによる給水異常の再発を未然に防止する。給水異常の発生が前記条件を満足していない場合には、ステップＳ４４にて通常の運転開始時の音声報知、例えば「・・コースで運転を開始します。」等の報知を行い、次工程へ移行する。
【００５０】
制御手段１２を備えた食器洗い機の報知の制御例については、上記実施の形態と全く同一の動作であるため、その説明を省略する。
【産業上の利用可能性】
【００５１】
以上のように、本発明にかかる機器の制御装置及び食器洗い機は、機器の運転スタート時に、多発異常の防止を音声で分かりやすく報知して、同様の異常の再発を防止できるもので、各種機器に適用できる。
【図面の簡単な説明】
【００５２】
【図１】本発明の第１の実施の形態における機器の制御装置を搭載した食器洗い機の概略を示すブロック構成図
【図２】同食器洗い機に備えた操作パネルの模式図
【図３】同機器の制御装置の制御手段による報知処理の具体例を示すフローチャート
【図４】同制御手段による他の報知処理の具体例を示すフローチャート
【図５】同制御手段による他の報知処理の具体例を示すフローチャート
【図６】同制御手段による他の報知処理の具体例を示すフローチャート
【図７】同制御手段による他の報知処理の具体例を示すフローチャート
【図８】従来の食器洗い機の断面図
【符号の説明】
【００５３】
１  本体
１ａ  ドア
１ｂ  開口
２  洗浄槽
３  給水弁
４  洗浄ポンプ
５  ヒータ
６  排水ポンプ
７  送風ファン
８  ドア開閉検知手段
９  温度検知手段
１０  水位検知手段
１２  制御手段
１３  操作パネル
１６  スタートスイッチ
２１  入力手段
２２  操作表示手段
３１  音声報知手段
３２  異常検知手段
３３  記憶手段
【図１】
2008259725.tif 000003
【図２】
2008259725.tif 000004
【図３】
2008259725.tif 000005
【図４】
2008259725.tif 000006
【図５】
2008259725.tif 000007
【図６】
2008259725.tif 000008
【図７】
2008259725.tif 000009
【図８】
2008259725.tif 000010